(57)【特許請求の範囲】
【請求項１】
保守運用管理装置を接続した光加入者収容装置に、スプリッタを介して複数の光回線終端装置を接続し、且つ少なくとも１個の光回線終端装置に無線親機と複数の無線子機とを含む無線ＬＡＮを接続したＰＯＮシステムに於いて、
前記無線親機は、無線通信要求を行った前記無線子機を仮想無線子機とし、該仮想無線子機と無線通信する論理的な仮想無線親機を構成して、該仮想無線親機と前記仮想無線子機との組を仮想光回線終端装置としてＯＡＭ番号を割り当てるＯＡＭ構成テーブルと、該ＯＡＭ構成テーブルに登録した前記ＯＡＭ番号対応に通信時間を予約登録するＯＡＭ通信制御テーブルと、前記ＯＡＭ番号対応の仮想無線親機を登録するＶＯＮＵ構成テーブルと、前記仮想無線親機と前記仮想無線子機との間の通信予約を登録するＡＰ−ＳＴＡ間通信テーブルと、前記光加入者収容装置と前記無線親機との間の前記ＯＡＭ番号対応の論理リンク識別子を登録するＯＬＴ−ＡＰ間通信テーブルとを備え、
前記保守運用管理装置は、前記光回線終端装置と前記仮想光回線終端装置とに対する運用保守手段を備えた
ことを特徴とするＰＯＮシステム。
【請求項２】
前記無線親機は、無線通信要求を行った前記無線子機を仮想無線子機として登録した後に、該無線子機から予め設定した期間経過しても通信要求がない時に、該無線子機を仮想無線子機として登録した内容を削除する手段を備えていることを特徴とする請求項１記載のＰＯＮシステム。
【発明の詳細な説明】
【技術分野】
【０００１】
本発明は、加入者側の光回線終端装置に無線ＬＡＮのアクセスポイントとしての無線親機を接続したＰＯＮシステムに関する。
【背景技術】
【０００２】
ＰＯＮ（Ｐａｓｓｉｖｅ  Ｏｐｔｉｃａｌ  Ｎｅｔｗｏｒｋ；受動型光加入者網）システムは、例えば、ＩＥＥＥ８０２．３ａｈ，ＩＥＥＥ８０２．３ａｖ等により標準化されており、それぞれ端末装置を接続した複数の加入者側のＯＮＵ（Ｏｐｔｉｃａｌ  Ｎｅｔｗｏｒｋ  Ｕｎｉｔ；光回線終端装置）と、光信号の分配、合成を行うスプリッタとの間をそれぞれ光伝送路により接続し、そのスプリッタと局側のＯＬＴ（Ｏｐｔｉｃａｌ  Ｌｉｎｅ  Ｔｅｒｍｉｎａｌ；光加入者収容装置）との間を１本の光伝送路により接続し、ＯＬＴとネットワークとの間を伝送路により接続して、ＯＬＴとスプリッタとの間のＯＮＵ方向への下り方向データは、ＯＮＵ対応に割り当てた時間対応に時間多重化して伝送し、ＯＮＵとスプリッタとの間の上り方向データは、スプリッタに於ける時間多重化時にデータが重ならないように、それぞれ指定された送信時刻に送信し、スプリッタに於いて時間多重化されてＯＬＴ側へ伝送される。
【０００３】
又無線ＬＡＮ（Ｌｏｃａｌ  Ａｒｅａ  Ｎｅｔｗｏｒｋ）は、例えば、ＩＥＥＥ８０２．１１等により標準化されている方式を適用する場合が一般的であり、無線親機をＡＰ（Ａｃｃｅｓｓ  Ｐｏｉｎｔ）として、単一又は複数の無線子機との間で無線通信を行い、無線親機をネットワーク等と接続し、無線子機は、無線親機との間の接続確立を行うことにより、ネットワークを介してデータ伝送が可能となるものである。この無線ＬＡＮについても既に各種の方式が適用されている。
【０００４】
又光波長多重化方式を適用して、複数の加入者装置対応の光波長群と複数の無線ＬＡＮや移動無線端局対応の光波長群とを含み、それぞれ光波長多重化して中央局と地域基地局との間を伝送し、地域基地局は波長分離してそれぞれ加入者装置、無線ＬＡＮ、移動無線端局対応に伝送する光信号を利用した伝送手段が提案されている（例えば、特許文献１参照）。又ＰＯＮシステムと無線ＬＡＮシステムと有線ＬＡＮシステムとをそれぞれ上位のネットワークにゲートウェイ装置を介して接続して、パケット転送を行うシステムが提案されている（例えば、特許文献２参照）。
【０００５】
前述の従来例のＰＯＮシステムのＯＮＵに、無線ＬＡＮを接続し、その無線ＬＡＮのアクセスポイントを介して単一又は複数の無線端末装置がデータを送受信可能とするシステム構成も可能であり、例えば、図５に示すように、無線ＬＡＮを接続したＰＯＮシステムを構成することができる。同図に於いて、ＳＮＩはサービスノード・インタフェース（Ｓｅｒｖｉｃｅ  Ｎｏｄｅ  Ｉｎｔｅｒｆａｃｅ）、ＯＬＴは局側の光加入者収容装置、ＯＭＳは保守運用管理装置（Ｏｐｅｒａｔｉｏｎ  ＆  Ｍａｉｎｔｅｎａｎｃｅ  Ｓｙｓｔｅｍ）、ＳＰはスプリッタ（Ｓｐｌｉｔｔｅｒ）、ＯＮＵは加入者側の光回線終端装置、ＵＮＩはユーザ・ネットワーク・インタフェース（Ｕｓｅｒ  Ｎｅｔｗｏｒｋ  Ｉｎｔｅｒｆａｃｅ）、ＴＥは端末装置（Ｔｅｒｍｉｎａｌ  Ｅｑｕｉｐｍｅｎｔ）、ＷＬＡＮは無線ＬＡＮ、ＡＰは無線親機（アクセスポイント）、ＳＴＡは無線子機を示す。この無線ＬＡＮをＯＮＵに接続することにより、複数の端末装置ＴＥを接続したシステム構成とすることができる利点がある。
【０００６】
図６は、図５に於ける無線ＬＡＮを除くＰＯＮシステムの構成要素と機能要素とを示すもので、図５と同一符号は同一名称部分を示す。保守運用管理装置ＯＭＳは、テーブル関係のみを例示したもので、基本管理テーブルと、通信制御テーブルと、保守管理テーブルと、その他の管理テーブルとを含む構成を有する場合を示す。例えば、基本管理テーブルは、ＰＯＮ−ＭＡＣ１〜ＰＯＮ−ＭＡＣｎ対応に、光回線終端装置ＯＮＵ１〜ＯＮＵｎと、運用保守管理制御ＯＭＣ１〜ＯＭＣｎと、論理リンク識別子ＬＬＩＤ１〜ＬＬＩＤｎとを関連付けて格納する。又通信制御テーブルは、ＬＬＩＤ１〜ＬＬＩＤｎと上り制御情報１〜上り制御情報ｎとを対応付けて格納し、保守管理テーブルは、ＯＭＣ１〜ＯＭＣｎと保守管理情報１〜保守管理情報ｎとを対応付けて格納する。
【０００７】
又光加入者収容装置ＯＬＴと光回線終端装置ＯＮＵと端末装置ＴＥとについては、上位レイヤから物理レイヤまでの各レイヤ対応の機能終端の関係を右側に示す。なお、光加入者収容装置ＯＬＴは、Ｅｔｈｅｒｎｅｔ（登録商標）ＭＡＣ（Ｍｅｄｉａ  Ａｃｃｅｓｓ  Ｃｏｎｔｒｏｌ）１〜ｎと、保守運用管理（Ｏｐｅｒｅｔｉｏｎ  ａｎｄ  Ｍａｉｎｔｅｎａｃｅ）ＯＡＭ１〜ＯＡＭｎと、マルチポイントＭＡＣコントロール（ＭＰＭＣ）と、ＰＯＮーＭＡＣ１〜ＰＯＮ−ＭＡＣｎと、調停サブレイヤＲＳ（Ｒｅｃｏｎｃｉｌｉａｔｉｏｎ  Ｓｕｂｌａｙｅｒ）と、ギガビット媒体非依存インタフェースＧＭＩＩと物理層ＰＨＹとの機能を含み、光回線終端装置ＯＮＵ１〜ＯＮＵｎは、それぞれ物理層ＰＨＹと、ギガビット媒体非依存インタフェースＧＭＩＩと、調停サブレイヤＲＳ（Ｒｅｃｏｎｃｉｌｉａｔｉｏｎ  Ｓｕｂｌａｙｅｒ）と、ＰＯＮ−ＭＡＣと、マルチポイントＭＡＣコントロールＭＰＭＣと、ＰＯＮ−ＯＡＭと、Ｅｔｈｅｒｎｅｔ（登録商標）ＭＡＣ（Ｍｅｄｉａ  Ａｃｃｅｓｓ  Ｃｏｎｔｒｏｌ）との機能を含むものである。
【０００８】
図７は、図５に示す無線ＬＡＮによる分散アクセス制御のシーケンス説明図であり、アクセスポイントとしての無線親機ＡＰと、無線子機ＳＴＡ１〜ＳＴＡ４との動作例を、シーケンス順番１〜２８と、無線区間動作１と無線区間動作２と共に示すもので、無線親機ＡＰは、無線区間動作１に示すように、周期的にＡＰ情報をビーコン（Ｂｅａｃｏｎ）によって送信している。この無線区間動作１のビーコンの１周期を拡大した無線区間動作２は、ビーコン（Ｂｅａｃｏｎ）の送信周期内の無線親機ＡＰと無線子機ＳＴＡ１〜ＳＴＡ４との間の接続要求、接続許可、データ通信、通信完了通知を行った場合のシーケンスを示す。
【０００９】
例えば、無線親機ＡＰからのビーコンを無線子機ＳＴＡが受信し、接続要求（ＲＴＳ）を送信し、無線親機ＡＰはその無線子機ＳＴＡに接続許可（ＣＴＳ）を送信する。許可された無線子機ＳＴＡは、無線親機ＡＰとの間でデータ通信を行う。このデータ通信の完了後、無線親機ＡＰは通信完了通知（ＡＣＫ）を送信する。それにより、無線区間は空き状態となり、他の無線子機ＳＴＡが通信のための接続要求（ＲＴＳ）を送信できる。例えば、図示のように、無線子機ＳＴＡ１と無線子機ＳＴＡ２とが同時に実線矢印と点線矢印とにより示すように接続要求（ＲＴＳ）を送信した場合、先に、無線子機ＳＴＡ１が接続許可（ＣＴＳ）を受信したとすると、無線子機ＳＴＡ１はデータ通信が可能となり、無線子機ＳＴＡ２は通信待ち状態となる。接続許可された無線子機ＳＴＡ１はデータ通信を行い、そのデータ通信終了により通信完了通知（ＡＣＫ）を送信する。そして、無線子機ＳＴＡ２が接続要求（ＲＴＳ）を送信すると、他に競合する接続要求（ＲＴＳ）がない場合、接続許可（ＣＴＳ）を受信することになるから、データ通信を行うことができる。次に無線子機ＳＴＡ４がデータ通信を行った場合のシーケンス順番１〜１４について、ビーコンの送信１周期内に、無線区間動作２として時系列的に示すように、ＲＴＳ，ＣＴＳ，ＳＴＡ１通信、ＡＣＫ，ＲＴＳ，ＣＴＳ，ＳＴＡ２通信，ＡＣＫ，ＲＴＳ，ＣＴＳ，ＳＴＡ４通信，ＡＣＫとなる。このようなシーケンス順番１〜１８に於いて、無線子機３は、接続要求ＲＴＳを送出していないが、競合制御を行っているから、このようなシーケンス経過後にデータ通信を可能とする保証はされていない。
【００１０】
図８は、図５に示す無線ＬＡＮに於ける帯域予約型アクセス制御と分散アクセス制御とを含む場合のシーケンス説明図であり、無線親機ＡＰと、無線子機ＳＴＡ１〜ＳＴＡ４との動作例を、シーケンス順番１〜２８と、無線区間動作１と無線区間動作２と共に示す。無線区間動作１に示すように、ビーコン周期内に、集中調停制御ＰＣＦ（Ｐｏｉｎｔ  Ｃｏｏｒｄｉｎａｔｉｏｎ  Ｆｕｎｃｔｉｏｎ）と分散調停制御ＤＣＦ（Ｄｉｓｔｒｉｂｕｔｅｄ  Ｃｏｏｒｄｉｎａｔｉｏｎ  Ｆｕｎｃｔｉｏｎ）との期間を定め、ＰＣＦの期間には、帯域予約を行った無線子機に対して、順番に無線親機ＡＰから帯域予約通信問い合わせＱｏＳ  ＣＦ  Ｐｏｌｌを送信し、無線子機との間のデータ通信を可能とし、データ通信完了の無線子機はＡＣＫを送信する。又ＤＣＦの期間には、図７について説明したような分散アクセス制御を行うものである。なお、ＰＣＦの期間に於ける無線親機ＡＰからの定期的な帯域予約通信問い合わせＱｏＳ  ＣＦ  Ｐｏｌｌにより無線区間の使用許可を与えることを利用して、無線子機の状態情報等を無線親機ＡＰに送信することによって、無線親機ＡＰに於いて無線子機の状態管理を行うことも可能となる。
【特許文献１】特開２００６−６７６０３号公報
【特許文献２】特開２００７−３３５９４５号公報
【発明の開示】
【発明が解決しようとする課題】
【００１１】
ＰＯＮシステムに於いては、前述の特許文献１，２等にも示されているように、有線伝送手段を適用した端末装置と、無線伝送手段を適用した端末装置とをそれぞれ加入者側のＯＮＵに収容することは可能であり、従って、従来例の前述の図５に示す構成も考えられる。その場合、局側に設けた運用保守管理装置ＯＭＳにより複数の加入者側のＯＮＵの運用管理を行うものであり、各ＯＮＵと端末装置ＴＥとは対応づけられているから、例えば、帯域予約型アクセス制御を適用した場合、端末装置ＴＥからの要求帯域の割り当て制御や課金処理等もＯＮＵ対応即ちユーザの端末装置ＴＥ対応に可能である。しかし、無線ＬＡＮについては、ＯＮＵに対して、無線親機ＡＰと、複数の無線子機ＳＴＡと、無線子機ＳＴＡ対応の端末装置ＴＥとが接続された構成となるから、運用保守管理装置ＯＭＳにより端末装置ＴＥ対応の無線子機ＳＴＡの運用保守管理が不可能であった。それにより、ユーザ対応の端末装置ＴＥを接続した無線子機ＳＴＡに対する保守管理ができないと共に課金処理もできないものであった。従って、無線ＬＡＮを接続したＰＯＮシステムに於いては、ＰＯＮシステム本来のサービス対応の料金体系と、無線ＬＡＮによるサービス対応の料金体系とを統一的に取り扱うことができない問題があった。
【００１２】
本発明は、前述の従来の問題点を解決することを目的とし、ＰＯＮシステム単独のユーザより多いユーザにサービス提供を可能とする無線ＬＡＮを接続した場合に、ＯＮＵに接続された端末装置と、無線子機に接続された端末装置とを統一して、運用保守管理装置により運用管理を可能とする。
【課題を解決するための手段】
【００１３】
本発明のＰＯＮシステムは、保守運用管理装置を接続した光加入者収容装置に、スプリッタを介して複数の光回線終端装置を接続し、且つ少なくとも１個の光回線終端装置に無線親機と複数の無線子機とを含む無線ＬＡＮを接続したＰＯＮシステムであって、無線親機は、無線通信要求を行った無線子機を仮想無線子機とし、この仮想無線子機と無線通信する論理的な仮想無線親機を構成して、この仮想無線親機と仮想無線子機との組を仮想光回線終端装置としてＯＡＭ番号（Ｏｐｅｒａｔｉｏｎ  Ａｎｄ  Ｍａｉｎｔｅｎａｃｅ）を割り当てるＯＡＭ構成テーブルと、このＯＡＭ構成テーブルに登録した前記ＯＡＭ番号対応に通信時間を予約登録するＯＡＭ通信制御テーブルと、前記ＯＡＭ番号対応の仮想無線親機を登録するＶＯＮＵ（Ｖｉｒｔｕａｌ  Ｏｐｔｉｃａｌ  Ｎｅｔｗｏｒｋ  Ｕｎｉｔ）構成テーブルと、仮想無線親機と仮想無線子機との間の通信予約を登録するＡＰ（Ａｃｃｅｓｓ  Ｐｏｉｎｔ；無線親機）−ＳＴＡ（Ｓｔａｔｉｏｎ；無線子機）間通信テーブルと、光加入者収容装置と無線親機との間のＯＡＭ番号対応の論理リンク識別子を登録するＯＬＴ−ＡＰ間通信テーブルとを備え、保守運用管理装置は、光回線終端装置と仮想光回線終端装置とに対する運用保守手段を備えている。
【００１４】
又無線親機は、テーブルに登録した仮想光回線終端装置を構成する仮想無線子機の予め設定した期間に通信要求がない時に、この仮想無線子機を含む仮想光回線終端装置をテーブルから削除する手段を備えている。
【発明の効果】
【００１５】
無線ＬＡＮは、無線親機と無線通信可能の複数の無線子機を備えることが可能であるから、光回線終端装置に、単一の端末装置を接続する従来の一般的なＰＯＮシステムに比較して多数のユーザに対応する端末装置を収容可能であり、又無線ＬＡＮの無線子機と無線親機とを仮想光回線終端装置として運用管理することにより、ユーザ対応の端末装置毎に通信帯域管理や料金管理が可能となる。
【発明を実施するための最良の形態】
【００１６】
本発明のＰＯＮシステムは、図１を参照して説明すると、保守運用管理装置ＯＭＳを接続した光加入者収容装置ＯＬＴに、スプリッタＳＰを介して複数の光回線終端装置ＯＮＵを接続し、その中の少なくとも１個の光回線終端装置ＯＮＵに無線親機ＡＰと複数の無線子機ＳＴＡとを含む無線ＬＡＮを接続したＰＯＮシステムであって、無線親機ＡＰは、無線通信要求の無線子機ＳＴＡを仮想無線子機ＶＯＳとし、この仮想無線子機ＶＯＳと無線通信する論理的な仮想無線親機ＶＯＡを構成して、この仮想無線親機ＶＯＡと仮想無線子機ＶＯＳとの組を仮想光回線終端装置ＶＯＮＵとして登録するテーブルを備え、保守運用管理装置ＯＭＳは、光回線終端装置ＯＮＵと仮想光回線終端装置ＶＯＮＵとに対して運用管理手段を備えている。
【実施例１】
【００１７】
図１は、本発明の実施例１の説明図であり、ＳＮＩはサービスノード・インタフェース（Ｓｅｒｖｉｃｅ  Ｎｏｄｅ  Ｉｎｔｅｒｆａｃｅ）、ＯＬＴは局側の光加入者収容装置、ＯＭＳは保守運用管理装置（Ｏｐｅｒａｔｉｏｎ  ＆  Ｍａｉｎｔｅｎａｎｃｅ  Ｓｙｓｔｅｍ）、ＳＰはスプリッタ（Ｓｐｌｉｔｔｅｒ）、ＯＮＵは加入者側の光回線終端装置、ＵＮＩはユーザ・ネットワーク・インタフェース（Ｕｓｅｒ  Ｎｅｔｗｏｒｋ  Ｉｎｔｅｒｆａｃｅ）、ＴＥは端末装置（Ｔｅｒｍｉｎａｌ  Ｅｑｕｉｐｍｅｎｔ）、ＷＬＡＮは無線ＬＡＮ（Ｗｉｒｅｌｅｓｓ  Ｌｏｃａｌ  Ａｒｅａ  Ｎｅｔｗｏｒｋ）、ＡＰは無線親機（アクセスポイント；Ａｃｃｅｓｓ  Ｐｏｉｎｔ）、ＳＴＡは無線子機、ＶＯＡは仮想ＯＮＵ無線親機（Ｖｉｒｔｕａｌ  Ｏｐｔｉｃａｌ  Ｎｅｔｗｏｒｋ  Ｕｎｉｔ  Ａｃｃｅｓｓ  Ｕｎｉｔ）、ＶＯＮＵは仮想ＯＮＵ（Ｖｉｒｔｕａｌ  Ｏｐｔｉｃａｌ  Ｎｅｔｗｏｒｋ  Ｕｎｉｔ）、ＶＯＳは仮想ＯＮＵ無線子機（Ｖｉｒｔｕａｌ  Ｏｐｔｉｃａｌ  Ｎｅｔｗｏｒｋ  Ｕｎｉｔ  Ｓｔａｔｉｏｎ  Ｕｎｉｔ）を示す。
【００１８】
ＰＯＮシステムに無線ＬＡＮを組み合わせた構成は、ハードウェア的には図５に示す場合と同様に、無線親機ＡＰと複数の無線子機ＳＴＡとを含む無線ＬＡＮの無線親機ＡＰを加入者側の光回線終端装置ＯＮＵ（以下光回線終端装置を「ＯＮＵ」の符号のみで示す）に接続した構成であるが、図１に於いては、ＯＮＵと無線ＬＡＮの無線親機ＡＰと複数の無線子機ＳＴＡとを、仮想的に無線子機ＳＴＡ対応の無線親機ＡＰとＯＮＵとの組み合わせ構成として、それぞれを仮想ＯＮＵ（ＶＯＮＵ）とする。そして、仮想ＯＮＵは、仮想ＯＮＵ無線親機ＶＯＡと、仮想ＯＮＵ無線子機ＶＯＳとの間で送受信する機能構成とする。それにより、保守運用管理システムＯＭＳは、無線ＬＡＮの無線子機ＳＴＡ対応の仮想ＯＮＵとして、通常のＯＮＵと同様に運用管理する。又仮想ＯＮＵの生成及び消滅の処理を、無線親機ＡＰのテーブルによって管理し、無線子機ＳＴＡの通信要求時に生成し、所定期間継続して無通信の場合に、テーブルから削除し、仮想ＯＮＵの生成及び消滅を制御する構成を設ける。なお、このような構成は、無線親機ＡＰのメモリとプロセッサ等の制御手段とにより、実現することが可能である。
【００１９】
図２は、本発明の実施例１のシーケンス説明図であり、仮想ＯＮＵ無線親機ＶＯＡと、無線親機ＡＰと、無線子機ＳＴＡと、仮想ＯＮＵ無線子機ＶＯＳとについて、シーケンス番号１〜１８と、無線区間動作２と、無線区間動作１とについて、仮想ＯＮＵの生成手順を示すものであり、仮想ＯＮＵ無線親機ＶＯＡと無線親機ＡＰとの間及び仮想ＯＮＵ無線子機ＶＯＳと無線子機ＳＴＡとの間は、論理通信手順に従って通信し、無線親機ＡＰと無線子機ＳＴＡとの間は、無線区間の通信手順に従って通信する。無線区間動作１は、シーケンス番号１，１１のビーコンの１周期内に集中調停制御ＰＣＦと分散調停制御ＤＣＦとの期間を形成した場合を示し、無線区間動作２は、時間軸、即ち、ビーコン周期の時間間隔を無線区間動作１より拡大して示すもので、集中調停制御ＰＣＦの期間の先頭に、帯域予約通信問い合わせＱｏＳ  ＣＦ  Ｐｏｌｌを無線親機ＡＰから送信する。
【００２０】
無線区間の無線親機ＡＰと無線子機ＳＴＡとの間は、最初は帯域予約を確立していないので、集中調停制御ＰＣＦ期間内ではなく、分散調停制御ＤＣＦ期間内に於いて通信を開始する。例えば、図８の従来例のシーケンスに従って通信を開始することができる。そして、帯域予約を行って、帯域予約型アクセスのリンク確立を行い、このリンクを使用して、集中調停制御ＰＣＦ期間に、帯域予約型の無線アクセス通信を行う。そして、論理的な仮想ＯＮＵ無線親機ＶＯＡと仮想ＯＮＵ無線子機ＶＯＳとにより、仮想ＯＮＵを確立する。図２に於いては、待機予約型アクセスのリンク確立前については図示していないが、例えば、図７に示す手順に従って確立することができる。その後に、無線親機ＡＰからの帯域予約通信問い合わせＱｏＳ  ＣＦ  Ｐｏｌｌにより、無線子機ＳＴＡは、仮想ＯＮＵ無線子機ＶＯＳからの仮想ＯＮＵ無線親機ＶＯＡ生成要求に従って、無線親機ＡＰにＡＤＤＴＳ  Ｒｅｑｕｅｓｔを送出する。これに対する生成完了通知により、無線親機ＡＰから無線子機ＳＴＡにＡＤＤＴＳ  Ｒｅｓｐｏｎｓｅを送信し、無線子機ＳＴＡは仮想ＯＮＵ無線子機ＶＯＳに生成完了を通知する。それにより、シーケンス番号１０に於いて、無線親機ＡＰと無線子機ＳＴＡとの間の物理通信リンクが確立される。
【００２１】
又仮想ＯＮＵ無線親機ＶＯＡは、仮想ＯＮＵ無線子機ＶＯＳの構成要求を行い、無線親機ＡＰは、無線子機ＳＴＡは仮想ＯＮＵ無線子機ＶＯＳからの構成情報を受信し、その構成情報を、無線子機ＳＴＡから無線親機ＡＰに管理情報として送信する。無線親機ＡＰは受信した構成情報を仮想ＯＮＵ無線親機ＶＯＡに送信し、構成完了の通知により、無線親機ＡＰから無線子機ＳＴＡにＡＣＫを送信し、それにより、仮想ＯＮＵ無線子機ＶＯＳの構成完了となり、シーケンス番号１８に於いて、仮想ＯＮＵ無線親機ＶＯＡと仮想ＯＮＵ無線子機ＶＯＳとの間で論理通信する仮想ＯＮＵ構成が確立する。従って、保守運用管理システムＯＭＳにより、無線子機ＳＴＡを含む仮想ＯＮＵ単位で運用管理が可能となり、又無線子機ＳＴＡが要求する帯域予約や課金等の処理を行うことが可能となる。
【００２２】
図３は、本発明の実施例１のリンク消滅シーケンス説明図であり、仮想ＯＮＵ無線親機ＶＯＡと、無線親機ＡＰと、無線子機ＳＴＡと、仮想ＯＮＵ無線子機ＶＯＳとについて、シーケンス番号１〜１８と、定期タイミングＴ１〜Ｔ４，Ｔ５〜Ｔ８と、無線区間動作２と、無線区間動作１とを示し、無線親機ＡＰと無線子機ＳＴＡとの間の無線区間の手順は図示を省略している。又無線区間動作１と無線区間動作２とについては、図２に示す場合と同一であり、重複する説明は省略する。仮想ＯＮＵ無線親機ＶＯＡと仮想ＯＮＵ無線子機ＶＯＳとによる仮想ＯＮＵが構成された後、帯域予約に基づいて、集中調停制御ＰＣＦの期間の最初にＱｏＳ  ＣＦとして示す帯域予約通信確認が、仮想ＯＮＵ無線親機ＶＯＡと仮想ＯＮＵ無線子機ＶＯＳとの間で行われる。
【００２３】
又定期タイミングＴ１〜Ｔ４に従って仮想ＯＮＵ無線親機ＶＯＡは、仮想無線子機ＶＯＳに構成要求を行い、それに対する構成情報を受信すると、構成完了を送信する。この場合の定期タイミングＴ５では、構成完了後に、無線子機ＳＴＡは切断処理を行ったことにより、その後の定期タイミングＴ６〜Ｔ８に於ける仮想ＯＮＵ無線親機ＶＯＡからＶＯＳ構成要求及び仮想ＯＮＵ無線子機ＶＯＳからのＶＯＡ生成要求に対して、応答無しの状態となる。この状態が予め設定した定期タイミングの繰り返し回数となった場合、例えば、定期タイミングＴ４に於いて、仮想ＯＮＵ無線親機ＶＯＡは、ＶＯＳ消滅通知を無線親機ＡＰに通知し、仮想ＯＮＵ無線子機ＶＯＳを含む仮想ＯＮＵを消滅させる。なお、既に仮想ＯＮＵを構成している他の無線子機ＳＴＡは、引き続き仮想ＯＮＵ無線子機ＶＯＳを構成していることにより、帯域予約に基づいた通信を継続することが可能である。従って、無線子機ＳＴＡが通信を開始する時に、仮想ＯＮＵを確立し、通信終了により、仮想ＯＮＵを消滅させて、仮想ＯＮＵが無限に増加することを回避可能とする。
【００２４】
図４は、本発明の実施例１の管理テーブルの説明図であり、無線親機ＡＰ内に構成したＯＡＭ（Ｏｐｅｒａｔｉｏｎ  Ａｎｄ  Ｍａｉｎｔｅｎａｃｅ）構成テーブルと、ＯＡＭ通信制御テーブルと、ＶＯＮＵ構成テーブルと、ＡＰ−ＳＴＡ間通信テーブルと、ＯＬＴ−ＡＰ間通信テーブルと、ＯＡＭ−ＭＩＢ（Ｍａｎａｇｅｍｅｎｔ  Ｉｎｆｏｒｍａｔｉｏｎ  Ｂａｓｅ）構成テーブルとを示す。無線子機ＳＴＡの起動により、無線親機ＡＰへの接続が行われ、この無線親機ＡＰ内のＯＡＭ構成テーブルに、例えば、ＶＯＳ１−ＶＯＡ１−ＯＡＭ１として示すように、仮想ＯＮＵ無線子機ＶＯＳに対応する仮想ＯＮＵ無線親機ＶＯＡが登録されて、ＯＡＭ番号が割り当てられる。このＯＡＭ番号によりＯＡＭ通信制御テーブルに、例えば、ＯＡＭ１−ＱｏＳ  ＣＦ  Ｐｏｌｌ  Ｔ１として示すように、帯域予約型アクセス制御の通信時間が予約される。
【００２５】
予約した時間の通信で仮想ＯＮＵ無線親機ＶＯＡと仮想ＯＮＵ無線子機ＶＯＳとの間でＯＡＭ通信が行われ、その通信の正常性確認後、ＶＯＮＵ構成テーブルに、例えば、０ＡＭ１−ＶＯＮＵ１として示すように、仮想ＯＮＵ（ＶＯＮＵ）が登録される。このＶＯＮＵ構成後は、ＯＡＭとＵＮＩに接続された端末装置ＴＥの通信種別ＴｏＳに応じて、無線親機ＡＰと無線子機ＳＴＡとの間の通信テーブル、即ち、ＡＰ−ＳＴＡ間通信テーブルに通信の予約を登録する。このＡＰ−ＳＴＡ間通信テーブルは、仮想ＯＮＵ対応に、ＶＯＮＵ１テーブル〜ＶＯＮＵｎテーブルを含み、ＯＡＭ１〜ＯＡＭｎ対応に通信種別ＴｏＳ１１〜ＴｏＳ１ｎ〜ＴｏＳｎ１〜ＴｏＳｎｎを登録する。又ＯＬＴ−ＡＰ間通信テーブルに通信種別ＴｏＳ１１〜ＴｏＳ１ｎ対応に、論理リンク識別子ＬＬＩＤ（Ｌｏｇｉｃａｌ  Ｌｉｎｋ  Ｉｄｅｎｔｉｆｉｅｒ）を登録する。この論理リンク識別子ＬＬＩＤの割り当ては、ＰＯＮシステムの標準手順により行うことができる。又ＯＡＭ−ＭＩＢ構成テーブルは、例えば、ＯＡＭ１、ＯＮＵ−ＭＩＢ１、ＶＯＳ−ＭＩＢ１として示すように、標準ＯＮＵ−ＭＩＢに対する拡張ＶＯＳ−ＭＩＢとして登録し、ＯＬＴ−ＡＰ間通信の保守運用ＯＡＭによって、運用保守管理装置ＯＭＳと通信し、仮想ＯＮＵ対応の運用管理が行われる。このようなテーブル構成を無線親機ＡＰに設けて、無線子機ＳＴＡ対応の運用管理が可能となり、無線子機ＳＴＡに接続した端末装置ＴＥと、ＯＮＵに直接的に接続した端末装置ＴＥとを、保守運用管理装置ＯＭＳに於いて統一的に利用料金を含めて運用管理することが可能となる。
【図面の簡単な説明】
【００２６】
【図１】本発明の実施例１の説明図である。
【図２】本発明の実施例１のシーケンス説明図である。
【図３】本発明の実施例１のリンク消滅シーケンス説明図である。
【図４】本発明の実施例１の管理テーブルの説明図である。
【図５】従来例のＰＯＮシステムの説明図である。
【図６】従来例のＰＯＮシステムの機能説明図である。
【図７】従来例のシーケンス説明図である。
【図８】従来例のシーケンス説明図である。
【符号の説明】
【００２７】
ＵＮＩ  ユーザ・ネットワーク・インタフェース
ＴＥ  端末装置
ＷＬＡＮ  無線ＬＡＮ
ＡＰ  無線親機
ＳＴＡ  無線子機
ＶＯＡ  仮想ＯＮＵ無線親機
ＳＮＩ  サービスノード・インタフェース
ＯＬＴ  光加入者収容装置
ＯＭＳ  保守運用管理装置
ＳＰ  スプリッタ
ＯＮＵ  光回線終端装置
ＵＮＩ  ＶＯＮＵ  仮想ＯＮＵ
ＶＯＳ  仮想ＯＮＵ無線子機
【図１】
0005059682.tif 000002
【図２】
0005059682.tif 000003
【図３】
0005059682.tif 000004
【図４】
0005059682.tif 000005
【図５】
0005059682.tif 000006
【図６】
0005059682.tif 000007
【図７】
0005059682.tif 000008
【図８】
0005059682.tif 000009